【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
映像データをコーディングするための方法であって、
残差データに関連する変換係数に関する第１の有意性情報をコーディングすることであって、前記第１の有意性情報は、第１のサブブロックが少なくとも１つのゼロでない係数を備えるかどうかを示し、前記第１のサブブロックは、変換ブロック全体のサブブロックであることと、
第２の有意性情報をコーディングすることであって、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行うことを備え、前記算術的コーディング動作のためのコンテキストは、前記第１のサブブロックと同じサイズの１つ以上の近隣のサブブロックに基づいて決定されることと、を備える、方法。
【請求項２】
前記第１のサブブロックは、４×４ブロックであり、前記第２のサブブロックは、２×２サブブロックである請求項１に記載の方法。
【請求項３】
前記コンテキストは、前記第２のサブブロックと同じサイズの１つ以上の近隣のサブブロックの有意性情報に基づく請求項１に記載の方法。
【請求項４】
前記コンテキストは、１つ以上の近隣の個々の係数の有意性情報に基づく請求項１に記載の方法。
【請求項５】
前記コンテキストは、前記第１のサブブロック内の前記第２のサブブロックの位置に基づく請求項１に記載の方法。
【請求項６】
コンテキスト割り当てパターンは、前記第１のサブブロック内の前記第２のサブブロックの位置に基づく請求項１に記載の方法。
【請求項７】
前記第２の有意性情報をコーディングすることは、前記第２の有意性情報を復号することを備え、前記方法は、
前記第２の有意性情報に基づいて、変換係数のブロックを再構築することをさらに備える請求項１に記載の方法。
【請求項８】
前記第２の有意性情報をコーディングすることは、前記第２の有意性情報を符号化することを備える請求項１に記載の方法。
【請求項９】
前記算術的コーディング動作は、コンテキスト適応型算術コーディング（ＣＡＢＡＣ）に従って行われる、請求項１に記載の方法。
【請求項１０】
コンピュータによって読み取り可能な記憶媒体であって、１つ以上のプロセッサによって実行されたときに、
残差データに関連する変換係数に関する第１の有意性情報をコーディングすることを前記１つ以上のプロセッサに行わせる命令を格納し、前記第１の有意性情報は、第１のサブブロックが少なくとも１つのゼロでない係数を備えるかどうかを示し、前記第１のサブブロックは、変換ブロック全体のサブブロックであり、
第２の有意性情報をコーディングすることを前記１つ以上のプロセッサに行わせる命令を格納し、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行うことを備え、前記算術的コーディング動作のためのコンテキストは、前記第１のサブブロックと同じサイズの１つ以上の近隣のサブブロックに基づいて決定される、コンピュータによって読み取り可能な記憶媒体。
【請求項１１】
映像データをコーディングするための装置であって、
残差データに関連する変換係数に関する第１の有意性情報をコーディングするための手段であって、前記第１の有意性情報は、第１のサブブロックが少なくとも１つのゼロでない係数を備えるかどうかを示し、前記第１のサブブロックは、変換ブロック全体のサブブロックである手段と、
第２の有意性情報をコーディングするための手段であって、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行うことを備え、前記算術的コーディング動作のためのコンテキストは、前記第１のサブブロックと同じサイズの１つ以上の近隣のサブブロックに基づいて決定される手段と、を備える、装置。
【請求項１２】
前記コンテキストは、前記第２のサブブロックと同じサイズの１つ以上の近隣のサブブロックの有意性情報に基づく請求項１１に記載の装置。
【請求項１３】
前記コンテキストは、１つ以上の近隣の個々の係数の有意性情報に基づく請求項１１に記載の装置。
【請求項１４】
前記コンテキストは、前記第１のサブブロック内の前記第２のサブブロックの位置に基づく請求項１１に記載の装置。
【請求項１５】
コンテキスト割り当てパターンは、前記第１のサブブロック内の前記第２のサブブロックの位置に基づく請求項１１に記載の装置。
【手続補正２】
【補正対象書類名】明細書
【補正対象項目名】０１１７
【補正方法】変更
【補正の内容】
【０１１７】
［０１２６］様々な例が説明されている。これらの及びその他の例は、以下の請求項の範囲内である。
以下に、本願出願の当初の特許請求の範囲に記載された発明を付記する。
［Ｃ１］
映像データをコーディングするための方法であって、
残差データに関連する変換係数に関する第１の有意性情報をコーディングすることであって、前記第１の有意性情報は、第１のサブブロックが少なくとも１つのゼロでない係数を備えるかどうかを示し、前記第１のサブブロックは、変換ブロック全体のサブブロックであることと、
第２の有意性情報をコーディングすることであって、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行い、前記算術的コーディング動作のためのコンテキストは、前記第１のサブブロックと同じサイズの１つ以上の近隣のサブブロックに基づいて決定されることと、を備える、方法。
［Ｃ２］
前記第１のサブブロックは、４×４ブロックであり、前記第２のサブブロックは、２×２サブブロックであるＣ１に記載の方法。
［Ｃ３］
前記コンテキストは、前記第２のサブブロックと同じサイズの１つ以上の近隣のサブブロックの有意性情報に基づくＣ１に記載の方法。
［Ｃ４］
前記コンテキストは、１つ以上の近隣の個々の係数の有意性情報に基づくＣ１に記載の方法。
［Ｃ５］
前記コンテキストは、前記第１のサブブロック内の前記第２のサブブロックの位置に基づくＣ１に記載の方法。
［Ｃ６］
コンテキスト割り当てパターンは、前記第１のサブブロック内の前記第２のサブブロックの位置に基づくＣ１に記載の方法。
［Ｃ７］
前記第２の有意性情報をコーディングすることは、前記第２の有意性情報を復号することを備え、前記方法は、
前記第２の有意性情報に基づいて、変換係数のブロックを再構築することをさらに備えるＣ１に記載の方法。
［Ｃ８］
前記第２の有意性情報をコーディングすることは、前記第２の有意性情報を符号化することを備えるＣ１に記載の方法。
［Ｃ９］
映像データをコーディングするためのデバイスであって、
残差データに関連する変換係数に関する第１の有意性情報をコーディングするように構成され、ここにおいて、前記第１の有意性情報は、第１のサブブロックが少なくとも１つのゼロでない係数を備えるかどうかを示し、前記第１のサブブロックは、変換ブロック全体のサブブロックであり、及び第２の有意性情報をコーディングするように構成され、ここにおいて、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行い、前記算術的コーディング動作のためのコンテキストは、前記第１のサブブロックと同じサイズの１つ以上の近隣のサブブロックに基づいて決定される、映像コーダを備える、デバイス。
［Ｃ１０］
前記第１のサブブロックは、４×４ブロックであり、前記第２のサブブロックは、２×２サブブロックであるＣ９に記載のデバイス。
［Ｃ１１］
前記コンテキストは、前記第２のサブブロックと同じサイズの１つ以上の近隣のサブブロックの有意性情報に基づくＣ９に記載のデバイス。
［Ｃ１２］
前記コンテキストは、１つ以上の近隣の個々の係数の有意性情報に基づくＣ９に記載のデバイス。
［Ｃ１３］
前記コンテキストは、前記第１のサブブロック内の前記第２のサブブロックの位置に基づくＣ９に記載のデバイス。
［Ｃ１４］
コンテキスト割り当てパターンは、前記第１のサブブロック内の前記第２のサブブロックの位置に基づくＣ９に記載のデバイス。
［Ｃ１５］
前記映像コーダは、前記第２の有意性情報に基づいて変換係数のブロックを再構築するように構成される映像復号器を備えるＣ９に記載のデバイス。
［Ｃ１６］
前記映像コーダは、映像符号器を備えるＣ９に記載のデバイス。
［Ｃ１７］
前記デバイスは、
集積回路、
マイクロプロセッサ、及び
前記映像コーダを含む無線通信デバイスのうちの少なくとも１つを備えるＣ９に記載のデバイス。
［Ｃ１８］
コンピュータによって読み取り可能な記憶媒体であって、１つ以上のプロセッサによって実行されたときに、
残差データに関連する変換係数に関する第１の有意性情報をコーディングすることを前記１つ以上のプロセッサに行わせる命令を格納し、前記第１の有意性情報は、第１のサブブロックが少なくとも１つのゼロでない係数を備えるかどうかを示し、前記第１のサブブロックは、変換ブロック全体のサブブロックであり、
第２の有意性情報をコーディングすることを前記１つ以上のプロセッサに行わせる命令を格納し、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行い、前記算術的コーディング動作のためのコンテキストは、前記第１のサブブロックと同じサイズの１つ以上の近隣のサブブロックに基づいて決定される、コンピュータによって読み取り可能な記憶媒体。
［Ｃ１９］
前記第１のサブブロックは、４×４ブロックであり、前記第２のサブブロックは、２×２サブブロックであるＣ１８に記載のコンピュータによって読み取り可能な記憶媒体。
［Ｃ２０］
前記コンテキストは、前記第２のサブブロックと同じサイズの１つ以上の近隣のサブブロックの有意性情報に基づくＣ１８に記載のコンピュータによって読み取り可能な記憶媒体。
［Ｃ２１］
前記コンテキストは、１つ以上の近隣の個々の係数の有意性情報に基づくＣ１８に記載のコンピュータによって読み取り可能な記憶媒体。
［Ｃ２２］
前記コンテキストは、前記第１のサブブロック内の前記第２のサブブロックの位置に基づくＣ１８に記載のコンピュータによって読み取り可能な記憶媒体。
［Ｃ２３］
コンテキスト割り当てパターンは、前記第１のサブブロック内の前記第２のサブブロックの位置に基づくＣ１８に記載のコンピュータによって読み取り可能な記憶媒体。
［Ｃ２４］
実行されたときに、
前記第２の有意性情報を復号し、及び
前記第２の有意性情報に基づいて、変換係数のブロックを再構築することを前記１つ以上のプロセッサに行わせるさらなる命令を格納するＣ１８に記載のコンピュータによって読み取り可能な記憶媒体。
［Ｃ２５］
実行されたときに、
前記第２の有意性情報を符号化することを前記１つ以上のプロセッサに行わせるさらなる命令を格納するＣ１８に記載のコンピュータによって読み取り可能な記憶媒体。
［Ｃ２６］
映像データをコーディングするための装置であって、
残差データに関連する変換係数に関する第１の有意性情報をコーディングするための手段であって、前記第１の有意性情報は、第１のサブブロックが少なくとも１つのゼロでない係数を備えるかどうかを示し、前記第１のサブブロックは、変換ブロック全体のサブブロックである手段と、
第２の有意性情報をコーディングするための手段であって、前記第２の有意性情報は、第２のサブブロックが少なくとも１つのゼロでない係数を備えるかどうかを示し、前記第２のサブブロックは、前記第１のサブブロックのサブブロックであり、前記第２の有意性情報をコーディングすることは、前記第２の有意性情報に関して算術的コーディング動作を行い、前記算術的コーディング動作のためのコンテキストは、前記第１のサブブロックと同じサイズの１つ以上の近隣のサブブロックに基づいて決定される手段と、を備える、装置。
［Ｃ２７］
前記コンテキストは、前記第２のサブブロックと同じサイズの１つ以上の近隣のサブブロックの有意性情報に基づくＣ２６に記載の装置。
［Ｃ２８］
前記コンテキストは、１つ以上の近隣の個々の係数の有意性情報に基づくＣ２６に記載の装置。
［Ｃ２９］
前記コンテキストは、前記第１のサブブロック内の前記第２のサブブロックの位置に基づくＣ２６に記載の装置。
［Ｃ３０］
コンテキスト割り当てパターンは、前記第１のサブブロック内の前記第２のサブブロックの位置に基づくＣ２６に記載の装置。